【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
自動演奏情報を記憶する自動演奏情報記憶手段と、その自動演奏情報記憶手段に記憶された自動演奏情報に基づいて音符に対応する図形を表示する表示画面とを備えたピアノロール表示装置において、
演奏テンポを設定する演奏テンポ設定手段と、
前記演奏テンポ設定手段により設定された演奏テンポに応じて前記表示画面に表示される音符の長さに対応する図形の長さを設定する音符長さ設定手段と、
前記表示画面を演奏テンポに関わらず一定速度でスクロールするスクロール手段とを備えていることを特徴とするピアノロール表示装置。
【請求項２】
前記表示画面に小節線を表示する小節線設定手段を備えていることを特徴とする請求項１に記載のピアノロール表示装置。
【請求項３】
前記表示画面に表示される楽譜の表示位置を任意に設定する表示位置設定手段を備え、
前記スクロール手段は、前記表示位置設定手段により設定された楽譜の表示位置まで前記一定速度より速い速度で表示画面をスクロールすることを特徴とする請求項１または２のいずれかに記載のピアノロール表示装置。
【請求項４】
前記スクロール手段が前記一定速度より速い速度で表示画面をスクロールする場合に擬音を発生する擬音発生手段を備えていることを特徴とする請求項１から３のいずれかに記載のピアノロール表示装置。
【請求項５】
自動演奏情報を記憶する自動演奏情報記憶手段と、その自動演奏情報記憶手段に記憶された自動演奏情報に基づいて音符に対応する図形を表示する表示画面とを備えたピアノロール表示装置により実行されるピアノロール表示プログラムにおいて、
演奏テンポを設定する演奏テンポ設定ステップと、
その演奏テンポ設定ステップにより設定された演奏テンポに応じて前記表示画面に表示される音符の長さに対応する図形の長さを設定する音符長さ設定ステップと、
前記表示画面を演奏テンポに関わらず一定速度でスクロールするスクロールステップとを備えていることを特徴とするピアノロール表示プログラム。
【手続補正２】
【補正対象書類名】明細書
【補正対象項目名】０００９
【補正方法】変更
【補正の内容】
【０００９】
前述のピアノロール表示装置において、前記演奏テンポ設定手段により設定された演奏テンポに応じて楽音を発生するように音源に指示を送る自動演奏手段を備えるようにしてもよい。
【手続補正３】
【補正対象書類名】明細書
【補正対象項目名】００１０
【補正方法】変更
【補正の内容】
【００１０】
前述のピアノロール表示装置において、前記スクロール手段は、前記自動演奏手段が演奏している演奏場所が前記表示画面に表示されるようにスクロールするように構成することが望ましい。
【手続補正４】
【補正対象書類名】明細書
【補正対象項目名】００１１
【補正方法】変更
【補正の内容】
【００１１】
請求項２記載のピアノロール表示装置は、請求項１に記載のピアノロール表示装置において、前記表示画面に小節線を表示する小節線設定手段を備えている。
【手続補正５】
【補正対象書類名】明細書
【補正対象項目名】００１２
【補正方法】変更
【補正の内容】
【００１２】
請求項３記載のピアノロール表示装置は、請求項１または２のいずれかに記載のピアノロール表示装置において、前記表示画面に表示される楽譜の表示位置を任意に設定する表示位置設定手段を備え、前記スクロール手段は、前記表示位置設定手段により設定された楽譜の表示位置まで前記一定速度より速い速度で表示画面をスクロールする。
【手続補正６】
【補正対象書類名】明細書
【補正対象項目名】００１３
【補正方法】変更
【補正の内容】
【００１３】
請求項４記載のピアノロール表示装置は、請求項１から３のいずれかに記載のピアノロール表示装置において、前記スクロール手段が前記一定速度より速い速度で表示画面をスクロールする場合に擬音を発生する擬音発生手段を備えている。
【手続補正７】
【補正対象書類名】明細書
【補正対象項目名】００１４
【補正方法】変更
【補正の内容】
【００１４】
請求項５記載のピアノロール表示プログラムは、自動演奏情報を記憶する自動演奏情報記憶手段と、その自動演奏情報記憶手段に記憶された自動演奏情報に基づいて音符に対応する図形を表示する表示画面とを備えたピアノロール表示装置により実行されるものであり、演奏テンポを設定する演奏テンポ設定ステップと、その演奏テンポ設定手段により設定された演奏テンポに応じて前記表示画面に表示される音符の長さに対応する図形の長さを設定する音符長さ設定ステップと、前記表示画面を演奏テンポに関わらず一定速度でスクロールするスクロールステップとを備えている。
【手続補正８】
【補正対象書類名】明細書
【補正対象項目名】００１５
【補正方法】変更
【補正の内容】
【００１５】
前述のピアノロール表示プログラムにおいて、前記演奏テンポ設定ステップにより設定された演奏テンポに応じて楽音を発生するように音源に指示を送る自動演奏ステップを備えるようにしてもよい。
【手続補正９】
【補正対象書類名】明細書
【補正対象項目名】００１６
【補正方法】変更
【補正の内容】
【００１６】
前述のピアノロール表示プログラムにおいて、前記スクロールステップは、前記自動演奏ステップが演奏している演奏場所が前記表示画面に表示されるようにスクロールするように構成することが望ましい。
【手続補正１０】
【補正対象書類名】明細書
【補正対象項目名】００１７
【補正方法】変更
【補正の内容】
【００１７】
前述のピアノロール表示プログラムにおいて、前記表示画面に小節線を表示する小節線設定ステップを備えるようにしてもよい。
【手続補正１１】
【補正対象書類名】明細書
【補正対象項目名】００１８
【補正方法】変更
【補正の内容】
【００１８】
前述のピアノロール表示プログラムにおいて、前記表示画面に表示される楽譜の表示位置を任意に設定する表示位置設定ステップを備え、前記スクロールステップは、前記表示位置設定ステップにより設定された楽譜の表示位置まで前記一定速度より速い速度で表示画面をスクロールするように構成することが望ましい。
【手続補正１２】
【補正対象書類名】明細書
【補正対象項目名】００２０
【補正方法】変更
【補正の内容】
【００２０】
更に、前述のピアノロール表示装置によれば、演奏テンポ設定手段により設定された演奏テンポに応じて楽音を発生するように音源に指示を送る自動演奏手段を備えているので、自動演奏に合致したピアノロールの表示が行われ、自動ピアノを模擬することができるという効果がある。
【手続補正１３】
【補正対象書類名】明細書
【補正対象項目名】００２１
【補正方法】変更
【補正の内容】
【００２１】
更に、前述のピアノロール表示装置によれば、スクロール手段は、自動演奏手段が演奏している演奏場所が表示画面に表示されるようにスクロールするので、自動演奏が行われている楽譜上の場所をピアノロール上で確認することができるという効果がある。
【手続補正１４】
【補正対象書類名】明細書
【補正対象項目名】００２２
【補正方法】変更
【補正の内容】
【００２２】
請求項２記載のピアノロール表示装置によれば、請求項１に記載のピアノロール表示装置の奏する効果に加え、表示画面に小節線を表示する小節線設定手段を備えているので、ピアノロールに表示される図形と音符との関係を把握しやすいという効果がある。
【手続補正１５】
【補正対象書類名】明細書
【補正対象項目名】００２３
【補正方法】変更
【補正の内容】
【００２３】
請求項３記載のピアノロール表示装置によれば、請求項１または２のいずれかに記載のピアノロール表示装置の奏する効果に加え、表示画面に表示される楽譜の表示位置を任意に設定する表示位置設定手段を備え、スクロール手段は、表示位置設定手段により設定された楽譜の表示位置まで一定速度より速い速度で表示画面をスクロールするので、ピアノロールの早送りや巻き戻しを行った際に、実際のピアノロールが早送りや巻き戻しされる様子を模擬することができるという効果がある。
【手続補正１６】
【補正対象書類名】明細書
【補正対象項目名】００２４
【補正方法】変更
【補正の内容】
【００２４】
請求項４記載のピアノロール表示装置によれば、請求項１から３のいずれかに記載のピアノロール表示装置の奏する効果に加え、スクロール手段が一定速度より速い速度で表示画面をスクロールする場合に擬音を発生する擬音発生手段を備えているので、ピアノロールを早送りや巻き戻しを行った際に、よりよく実際のピアノロールが早送りや巻き戻しされる様子を模擬することができるという効果がある。
【手続補正１７】
【補正対象書類名】明細書
【補正対象項目名】００２５
【補正方法】変更
【補正の内容】
【００２５】
請求項５記載のピアノロール表示プログラムによれば、演奏テンポを設定する演奏テンポ設定ステップと、その演奏テンポ設定手段により設定された演奏テンポに応じて表示画面に表示される音符の長さに対応する図形の長さを設定する音符長さ設定ステップと、表示画面を演奏テンポに関わらず一定速度でスクロールするスクロールステップとを備えているので、表示画面に表示されるピアノロールは、実際のピアノロールと同等の表示となり、違和感のない表示が行われるという効果がある。
【手続補正１８】
【補正対象書類名】明細書
【補正対象項目名】００２６
【補正方法】変更
【補正の内容】
【００２６】
更に、前述のピアノロール表示プログラムによれば、演奏テンポ設定ステップにより設定された演奏テンポに応じて楽音を発生するように音源に指示を送る自動演奏ステップを備えているので、自動演奏に合致したピアノロールの表示が行われ、自動ピアノを模擬することができるという効果がある。
【手続補正１９】
【補正対象書類名】明細書
【補正対象項目名】００２７
【補正方法】変更
【補正の内容】
【００２７】
更に、前述のピアノロール表示プログラムによれば、スクロールステップは、自動演奏手段が演奏している演奏場所が表示画面に表示されるようにスクロールするので、自動演奏が行われている楽譜上の場所をピアノロール上で確認することができるという効果がある。
【手続補正２０】
【補正対象書類名】明細書
【補正対象項目名】００２８
【補正方法】変更
【補正の内容】
【００２８】
更に、前述のピアノロール表示プログラムによれば、表示画面に小節線を表示する小節線設定ステップを備えているので、ピアノロールに表示される図形と音符との関係を把握しやすいという効果がある。
【手続補正２１】
【補正対象書類名】明細書
【補正対象項目名】００２９
【補正方法】変更
【補正の内容】
【００２９】
更に、前述のピアノロール表示プログラムによれば、表示画面に表示される楽譜の表示位置を任意に設定する表示位置設定ステップを備え、スクロールステップは、表示位置設定ステップにより設定された楽譜の表示位置まで一定速度より速い速度で表示画面をスクロールするので、ピアノロールの早送りや巻き戻しを行った際に、実際のピアノロールが早送りや巻き戻しされる様子を模擬することができるという効果がある。